(57)【要約】【課題】光源を電気基板に接続する接続作業を容易にする。【解決手段】複数のレーザー光源４１Ｙ，４１Ｍ，４１Ｃ，４１Ｋは、レーザー光束１０の光軸調整をしてから、光学箱２４の側壁２４５に固定される。固定された各レーザー光源のピン６１ａ，６１ｂ，６１ｃは、電気基板４８に取り付けられたソケット１００の接続ピン１０８Ａ，１０８Ｂ，１０８Ｃに曲げられて挿入され、レーザー光源４１Ｙ，４１Ｍ，４１Ｃ，４１Ｋは、ソケット１００Ｙ，１００Ｍ，１００Ｃ，１００Ｋを介して電気基板４８と接続される。【選択図】図１１
2011187448.tif 000002
【特許請求の範囲】
【請求項１】
光学箱の側壁に固定され、射出する光ビームの光軸調整が行われた複数の光源と、
前記光源の光源端子が挿入され固定される接続部材を複数備える電気基板と、
を有する光源装置。
【請求項２】
前記接続部材は、前記電気基板に形成された貫通孔を貫通するとともに、前記光源端子が挿入される光源端子挿入部を備え、
前記光源端子挿入部は、挿入される前記光源端子を前記光源端子挿入部に沿って折り曲げられていることを特徴とする請求項１に記載の光源装置。
【請求項３】
前記光源端子挿入部は、断面が半円状であることを特徴とする請求項２に記載の光源装置。
【請求項４】
前記光源端子挿入部は、断面がＶ字形状であることを特徴とする請求項２に記載の光源装置。
【請求項５】
請求項１〜４の何れか１項に記載の光源装置と、
前記光源装置が取付けられた光学箱と、
を有する光走査装置。
【請求項６】
請求項１〜４の何れか１項に記載の光源装置と、
前記光源装置が取付けられた光学箱と、
前記光源から射出された光ビームにより静電潜像が形成される像保持体と、
を有する画像形成装置。
【発明の詳細な説明】
【技術分野】
【０００１】
本発明は、光源装置、光走査装置、及び画像形成装置に関する。
【背景技術】
【０００２】
光走査装置において、レーザーダイオードと電気基板との接続は、レーザーダイオードのピンを、電気基板を貫通する取付穴に通して半田付している。
【０００３】
しかし、このようにレーザーダイオードと電気基板とを直接半田付けすると、半田不良によるレーザーダイオードや電気基板の損傷などの不良が発生した場合、レーザーダイオードと電気基板とを容易に分離できないので、リサイクルが困難である。
【０００４】
そこで、電気基板に直接レーザーダイオードを半田付けしない方法が提案されている（例えば、特許文献１、特許文献２を参照）。
【特許文献１】特開平０６−０８２７１０号公報
【特許文献２】特開２０００−２５２５７８号公報
【発明の開示】
【発明が解決しようとする課題】
【０００５】
しかしながら、光源と電気基板とを接続する接続作業を容易にすることが望まれている。
【０００６】
本発明は、光源を電気基板に接続する接続作業を容易にすることを目的とする。
【課題を解決するための手段】
【０００７】
請求項１に記載の光源装置は、光学箱の側壁に固定され、射出する光ビームの光軸調整が行われた複数の光源と、前記光源の光源端子が挿入され固定される接続部材を複数備える電気基板と、を有することを特徴としている。
【０００８】
請求項１に記載の光源装置では、光学箱の側壁に固定された後に、複数の光源の光軸の調整が行われる。そして、接続部材を介して電気基板と接続するため、電気基板と接続した後に光軸調整を行う必要がなく、複数の光源を一度に電気基板に接続することができる。
【０００９】
また、光源と電気基板とを直接半田付けせず、接続部材を介して固定するため、光源と電気基板とを接続後であっても、光源のみを容易に交換可能である。
【００１０】
請求項２に記載の光源装置は、請求項１に記載の光源装置であって、前記接続部材は、前記電気基板に形成された貫通孔を貫通するとともに、前記光源端子が挿入される光源端子挿入部を備え、前記光源端子挿入部は、挿入される前記光源端子を前記光源端子挿入部に沿って折り曲げられていることを特徴としている。
【００１１】
請求項２に記載の光源装置では、光源端子挿入部が電気基板に形成された貫通孔に挿入しているため、電気基板の背面から半田付けを行うことができる。また、光源端子は光源端子挿入部に折り曲げて挿入できるため、光源端子の軸方向と、光源端子挿入部の軸方向が一致していなくても挿入できる。
【００１２】
請求項３に記載の光源装置は、請求項２に記載の光源装置であって、前記光源端子挿入部は、断面が半円状であることを特徴としている。
【００１３】
請求項３に記載の光源装置では、光源端子挿入部の断面が半円形なので、光源端子挿入部に対して光源端子を斜め方向から挿入することができる。また、光源端子挿入部の一端側から半田を流した際にも、光源端子挿入部の他端側まで流れやすい。
【００１４】
請求項４に記載の光源装置は、請求項２に記載の光源装置であって、前記光源端子挿入部は、断面がＶ字形状であることを特徴としている。
【００１５】
請求項４に記載の光源装置では、光源端子挿入部の断面がＶ字形状なので、光源端子挿入部に対して光源端子を斜め方向から挿入することができる。また、光源端子挿入部の一端側から半田を流した際にも、光源端子挿入部の他端側まで流れやすい。
【００１６】
請求項５に記載の光走査装置は、請求項１〜４の何れか１項に記載の光源装置と、前記光源装置が取付けられた光学箱と、を有することを特徴としている。
【００１７】
請求項５に記載の光走査装置では、光軸の調整を行い、電気基板と接続された複数の光源から光学箱へ光ビームが射出される。
【００１８】
請求項６に記載の画像形成装置は、請求項１〜４の何れか１項に記載の光源装置と、前記光源装置が取付けられた光学箱と、前記光源から射出された光ビームにより静電潜像が形成される像保持体と、を有することを特徴としている。
【００１９】
請求項６に記載の画像形成装置では、光源装置を構成する光源から射出される光ビームによって、像保持体に静電潜像を形成することで、画像を形成することができる。
【発明の効果】
【００２０】
以上説明したように本発明によれば、光源を電気基板に接続する接続作業が容易になる。
【発明を実施するための最良の形態】
【００２１】
以下、添付図面を参照して、本発明の実施の形態について詳細に説明する。
【００２２】
図１は、本実施形態に係る画像形成装置０１の概略構成図である。
【００２３】
画像形成装置０１は、タンデム型のフルカラープリンタとして構成され、画像形成装置０１の本体０９の内部には、光走査装置１２と、フルカラーの画像形成を行う画像形成ユニットであるプリントヘッドデバイス(Ｐｒｉｎｔ Ｈｅａｄ Ｄｅｖｉｃｅ)１４とが設置されている。
【００２４】
光走査装置１２は光学箱（ハウジング）２４を備えている。この光学箱２４の内部には、回転多面鏡（回転反射鏡、ポリゴンミラー）２６、走査レンズ（ｆθレンズ）２８、折返ミラー２９、分離多面鏡（分離ミラー、分離手段）３０、反射鏡３２、及びシリンドリカルミラー（光学素子）３４Ｙ，３４Ｍ，３４Ｃ，３４Ｋ（図２参照）などが配置されている。また、光学箱２４の内部に、レーザー光束１０Ｙ〜１０Ｋ（図２参照）を射出するレーザー光源４１Ｙ，４１Ｍ，４１Ｃ，４１Ｋも配置されている。
【００２５】
光学箱２４には、防塵ウィンドウ２４ａ（図２参照）が配設されている。そして、レーザー光束１０Ｙ〜１０Ｋ（図２参照）は、防塵ウィンドウ２４ａ（図２参照）を透過し、像保持体としての四個の感光体ドラム１６，１８，２０，２２の各々に入射する。
【００２６】
このようにして、光走査装置１２は、四個の感光体ドラム１６，１８，２０，２２に対する画像の露光処理を行うように構成されている。
【００２７】
プリントヘッドデバイス１４は、イエロー（Ｙ），マゼンタ（Ｍ），シアン（Ｃ），ブラック（Ｋ）の各色に対応する像保持体としての四個の感光体ドラム１６，１８，２０，２２を備えている。これらの感光体ドラム１６，１８，２０，２２の各々は、現像装置２３を有する。
【００２８】
プリントヘッドデバイス１４は、複数の中間転写体３６，３８，４０を備えている。すなわち、プリントヘッドデバイス１４は、感光体ドラム１６，１８の各々に形成されたトナー像が多重転写される中間転写体３６と、感光体ドラム２０，２２の各々に形成されたトナー像が多重転写される中間転写体３８と、中間転写体３６，３８の各々の多重のトナー像が更に多重転写される中間転写体４０とを備えている。
【００２９】
画像形成装置０１の本体０９の下部には、記録用紙（シート）Ｐが収容されている給紙カセット２５が配設されている。この給紙カセット２５から上方に向かって記録用紙Ｐを搬送する搬送経路Ｋが形成されている。搬送経路Ｋの途中には、プリントヘッドデバイス１４の中間転写体４０、及び定着装置２７が配設されている。また、本体０９の上面には、定着装置２７によりトナー像が定着された記録用紙Ｐが排出される排出トレイ１１が設けられている。
【００３０】
このように構成された画像形成装置０１において、光走査装置１２からのレーザー光束１０Ｙ〜１０Ｋ（図２参照）が、対応する感光体ドラム１６，１８，２０，２２に入射し、これにより、感光体ドラム１６，１８，２０，２２の表面に静電潜像が形成される。その後、現像装置２３により現像され、これにより、感光体ドラム１６，１８，２０，２２に各色のトナー像が形成される。そして、感光体ドラム１６に形成されたイエローのトナー像及び感光体ドラム１８に形成されたマゼンタのトナー像が、一定の速度で一方向に搬送される中間転写体３６に順次転写される。また、感光体ドラム２０に形成されたシアンのトナー像及び感光体ドラム２２に形成されたブラックのトナー像が、一定の速度で一方向に搬送される中間転写体３８に順次転写される。
【００３１】
その後、これら中間転写体３６，３８のトナー像は、最終的に中間転写体４０に転写された後に、給紙カセット２５から供給された記録用紙Ｐに一括して転写される。これによりフルカラートナー画像を得ることができる。フルカラートナー画像が転写された記録用紙Ｐは定着装置２７にて定着処理が施された後に、本体０９の上面である排出トレイ１１に排出される。
【００３２】
次に、光走査装置１２について更に詳しく説明する。 
【００３３】
図２及び図３は、光走査装置１２の内部構成を示す構成図である。具体的には、図２は光走査装置１２の内部構成を示す縦断面図であり、図３は、光走査装置１２の内部構成を示す平面図である。
【００３４】
光走査装置１２の光学箱２４は、防塵構造となるように構成されている。そして、光学箱２４は、第１ケース２４１と第２ケース２４２とを有する。すなわち、光学箱２４の内部空間が境界部２４３で仕切られており、この境界部２４３によって、個別の空間を有する第１ケース２４１及び第２ケース２４２が形成されている。境界部２４３には、第１ケース２４１と第２ケース２４２とを空間的に繋いでいる窓２４４が穿設されている。また、第１ケース２４１は側壁２４５を有する（側壁２４５は記録用紙Ｐの搬送方向と直交する幅方向の壁面を構成する）。
【００３５】
第１ケース２４１には第１光学系４００が配置され、第２ケース２４２には第２光学系５００が配置されている。なお、これら第１光学系４００及び第２光学系５００は結像光学系とも言うことができる。
【００３６】
この第１光学系４００は、レーザー光源４１Ｙ，４１Ｍ，４１Ｃ，４１Ｋを備えている。これらレーザー光源４１Ｙ，４１Ｍ，４１Ｃ，４１Ｋは、第１ケース２４１の側壁２４５に形成された取付け部２４５ａに取り付けられている。この側壁２４５の取付け部２４５ａは、側壁２４５に対して所定の角度で交差するように延在している。すなわち、取付け部２４５ａは、レーザー光源４１Ｙ，４１Ｍ，４１Ｃ，４１Ｋの各々で発生したレーザー光束１０Ｙ，１０Ｍ，１０Ｃ，１０Ｋが側壁２４５に対して斜めの方向に進行すると共に４本のレーザー光束１０Ｙ〜１０Ｋが互いに平行に進行するように、段形状に形成されている。
【００３７】
レーザー光源４１Ｙ，４１Ｍ，４１Ｃ，４１Ｋの各々は、イエロー（Ｙ），マゼンタ（
Ｍ），シアン（Ｃ），ブラック（Ｋ）の各画像信号により駆動され、発散光束となるレー
ザー光束１０Ｙ〜１０Ｋを出射する。
【００３８】
なお、レーザー光源４１Ｙ，４１Ｍ，４１Ｃ，４１Ｋは、ソケット１００Ｙ、１００Ｍ、１００Ｃ，１００Ｋ（図６、図１２等を参照）を介して、一枚１枚の電気基板（ＬＤ基板）４８に接続されている。なお、ソケット１００Ｙ、１００Ｍ、１００Ｃ，１００Ｋについての詳細は後述する。
【００３９】
図３に示すように、第１光学系４００において、レーザー光源４１Ｙ，４１Ｍ，４１Ｃ，４１Ｋで発生したレーザー光束１０Ｙ〜１０Ｋの進行方向の順に、コリメータレンズ４２Ｙ，４２Ｍ，４２Ｃ，４２Ｋ、スリット４３Ｙ，４３Ｍ，４３Ｃ，４３Ｋ、第１反射ミラー部４４Ｙ，４４Ｍ，４４Ｃ，４４Ｋ、第１レンズ系４５、第２反射ミラー４６、第２レンズ系４７、回転多面鏡２６、走査レンズ２８及び折返ミラー２９が配置されている。
【００４０】
そして、これらコリメータレンズ４２Ｙ，４２Ｍ，４２Ｃ，４２Ｋ、スリット４３Ｙ，４３Ｍ，４３Ｃ，４３Ｋ、及び第１反射ミラー部４４Ｙ，４４Ｍ，４４Ｃ，４４Ｋは、
各色に対応したものである。
【００４１】
コリメータレンズ４２Ｙ，４２Ｍ，４２Ｃ，４２Ｋは、レーザー光源４１Ｙ，４１Ｍ，４１Ｃ，４１Ｋからのレーザー光束１０Ｙ〜１０Ｋを略平行化するものである。また、スリット４３Ｙ，４３Ｍ，４３Ｃ，４３Ｋは、感光体ドラム１６，１８，２０，２２上のレーザー光束１０Ｙ〜１０Ｋの集束状態を規定するためのものである。第１反射ミラー部４４Ｙ，４４Ｍ，４４Ｃ，４４Ｋは、レーザー光源４１Ｙ，４１Ｍ，４１Ｃ，４１Ｋからの４本のレーザー光束１０Ｙ〜１０Ｋを、各色に共通の第２反射ミラー４６に向けて反射するためのものである。
【００４２】
図３に示すように、第１反射ミラー４４Ｙ，４４Ｍ，４４Ｃ，４４Ｋで反射した４本のレーザー光束１０Ｙ〜１０Ｋは、第１レンズ系４５を通過して第２反射ミラー４６で反射した後に第２レンズ系４７を通過し、回転多面鏡２６に照射される。回転多面鏡２６は、図示しない駆動源により一定速度で回転している。このため、第２反射ミラー４６からの４本のレーザー光束１０Ｙ〜１０Ｋは、水平方向に振られて偏向走査される。
【００４３】
回転多面鏡２６に照射された４本のレーザー光束１０Ｙ〜１０Ｋは、反射偏向面で反射偏向し、２枚の組の走査レンズ２８を通過して折返ミラー２９に入射される。走査レンズ２８は、回転多面鏡２６により偏向走査された４本のレーザー光束１０Ｙ〜１０Ｋの走査速度を補正すると共に感光体ドラム１６，１８，２０，２２（図２参照）の近傍にレーザー光束１０Ｙ〜１０Ｋを結像させるものである。折返ミラー２９は、４本のレーザー光束１０Ｙ〜１０Ｋが境界部２４３の窓２４４を通過して第２光学系５００に進むように、反射させるためのものである。
【００４４】
図２に示すように、第２光学系５００は、分離多面鏡３０、反射鏡３２及び最終ミラーであるシリンドリカルミラー３４Ｙ，３４Ｍ，３４Ｃ，３４Ｋにより構成されている。第１光学系４００からの４本のレーザー光束１０Ｙ〜１０Ｋは、分離多面鏡３０によって感光体ドラム１６，１８，２０，２２の配列方向に応じた方向に分離される。分離された４本のレーザー光束１０Ｙ〜１０Ｋの各々は、対応する反射鏡３２の各々に反射した後に、シリンドリカルミラー３４Ｙ，３４Ｍ，３４Ｃ，３４Ｋによって、対応する感光体ドラム１６，１８，２０，２２に導かれる。
【００４５】
図４は、レーザー光束１０Ｙ〜１０Ｋが回転多面鏡２６により水平方向に振られる様子を示す概略図である。
【００４６】
図４に示すように、第２反射ミラー４６（図３参照）からの４本のレーザー光束１０Ｙ〜１０Ｋは、回転多面鏡２６の反射面２６ａに入射する。ここで、反射面２６ａには、反射面２６ａの幅ｄ１より幅広のビーム幅ｄ２のレーザー光束１０Ｙ〜１０Ｋが入射する。そして、回転多面鏡２６の反射面２６ａによりレーザー光束１０Ｙ〜１０Ｋの一部が走査レンズ２８へと反射し走査される。
【００４７】
このように、本実施形態では、オーバーフィルド光学系を採用している。かかるオーバーフィルド光学系は、アンダーフィルド光学系よりも回転多面鏡の径を小さくできるため、面数を増加しても回転多面鏡の大径化を避けることができ、軽量化及び慣性モーメントの小化により高速回転化対応が可能となる。つまり、画像形成装置０１のプロセス速度が速い場合には、オーバーフィルド光学系の方が対応しやすく適している。
【００４８】
図６は、レーザー光束１０Ｙ〜１０Ｋの光路を示す概略構成図である。 
【００４９】
図６に示すように、レーザー光源４１Ｙ，４１Ｍ，４１Ｃ，４１Ｋからのレーザー光束１０Ｙ〜１０Ｋは、互いに平行に第１反射ミラー部４４Ｙ，４４Ｍ，４４Ｃ，４４Ｋへと進む。そして、レーザー光束１０Ｙ〜１０Ｋの各々の発光点から回転多面鏡２６までの光路長は等しい。レーザー光束１０Ｙ〜１０Ｋは、発散光であり、その発散角は互いに同一である。このため、オーバーフィルド光学系に適用することが可能である。
【００５０】
次に、レーザー光源４１Ｙ，４１Ｍ，４１Ｃ，４１Ｋを電気基板４８に接続するソケット１００Ｙ，１００Ｍ，１００Ｃ，１００Ｋについて説明する。なお、いずれのソケット１００Ｙ，１００Ｍ，１００Ｃ，１００Ｋも同様の構成をしているので、Ｙ，Ｍ，Ｃ，Ｋを区別せずに説明する。
【００５１】
図７と図８とに示すように、ソケット１００は、円盤状の頭部１０２を有している。頭部１０２には三つの貫通孔１０４Ａ，１０４Ｂ，１０４Ｃが形成されている。
【００５２】
貫通孔１０４Ａ，１０４Ｂ，１０４Ｃは、矢印Ｙ１方向（後述するレーザー光源４１のピン６１が挿入される方向）に見ると等間隔となっている（図８（Ａ）参照）。また、平面視すると貫通孔１０４Ａ，１０４Ｂ，１０４Ｃで正三角形構成する（貫通孔１０４Ａ，１０４Ｂ，１０４Ｃのそれぞれの距離は等しい）。
【００５３】
更に、矢印Ｙ１方向に貫通孔１０４Ａ，１０４Ｂ，１０４Ｃにそれぞれ繋がる切込部１０６Ａ，１０６Ｂ，１０６Ｃが形成されている。切込部１０６Ａ，１０６Ｂ，１０６Ｃは互いに平行である。また、頭部１０２は絶縁性を有している。
【００５４】
頭部１０２の貫通孔１０４Ａ，１０４Ｂ，１０４Ｃには接続ピン１０８Ａ，１０８Ｂ，１０８Ｃが挿入されている。接続ピン１０８Ａ，１０８Ｂ，１０８Ｃは、断面が半円形状となっている（図９も参照）。そして、半円形状の開口が、１０６Ａ，１０６Ｂ，１０６Ｃと一致するように、頭部１０２の貫通孔１０４Ａ，１０４Ｂ，１０４Ｃに挿入される。接続ピン１０８Ａ，１０８Ｂ，１０８Ｃは、一方の端部が頭部１０２の上面と略同一面まで挿入されている。そして、他方の端部は頭部１０２の下面から突出している。なお、接続ピン１０８Ａ，１０８Ｂ，１０８Ｃは、頭部１０２に挿入後に抜けないようになっている。また、接続ピン１０８Ａ，１０８Ｂ，１０８Ｃは金属などの導電性を有する素材からなる。
【００５５】
そして、図１０に示すように、ソケット１００の接続ピン１０８Ａ，１０８Ｂ，１０８Ｃが電気基板４８を貫通している取付孔１５０に挿入され、半田付けによって電気基板４８に接続される。なお、半田は符号Ｈで示している（ソケット１００が接続されている面と反対側の面の図である図２１も参照）。
【００５６】
なお、図１２と図１３とに示すように、電気基板４８には、四つのソケット１００Ｙ，１００Ｍ，１００Ｃ，１００Ｋが、各レーザー光源４１Ｙ，４１Ｍ，４１Ｃ，４１Ｋの配置位置に合わせて接続されている。
【００５７】
また、図２１に示すように、電気基板４８のソケット１００が接続されている面と反対側の面には、各レーザー光源４１Ｙ，４１Ｍ，４１Ｃ，４１Ｋを駆動（発光）させるための、各種電子部品で構成された駆動回路１５２を備えている。
【００５８】
さて、図３に示す光学箱２４の側壁２４５には、レーザー光源４１Ｙ，４１Ｍ，４１Ｃ，４１Ｋ（以下、Ｙ，Ｍ，Ｃ、Ｋを区別せずに「レーザー光源４１」ということがある。）を取り付けるための取付け部２４５ａが設けられている。この取付け部２４５ａは、レーザー光源４１を所定の位置関係で取り付けることが可能な段形状に形成されている。
【００５９】
図３は、レーザー光源４１を取り付けた取付け部２４５ａ付近を拡大断面にて部分的に示す構成図である。レーザー光源４１は、発光素子（半導体レーザー）６１と、発光素子６１を保持するホルダー６２と、を備えている。発光素子６１は、３つのピン６１ａ，６１ｂ，６１ｃを有する。これらのピン６１ａ，６１ｂ，６１ｃの各々は、電気基板４８に接続されたソケット１００の接続ピン１０８Ａ，１０８Ｂ，１０８Ｃの一方の端部からそれぞれ差し込まれる。なお、ピン６１ａ，６１ｂ，６１ｃは、ソケット１００の中で、各々途中で一方向に折り曲げられた状態となっている。
【００６０】
また、電気基板４８は、光学箱２４の側壁２４５の外壁面２４５ｃ（以降、取付け面２４５ｃと記す）（図３も参照）に取り付けられている。
【００６１】
このようにして、光学箱２４において、電気基板４８を取り付ける側壁２４５の取付け面２４５ｃとレーザー光源４１の取付け部２４５ａ（基準面）とは、互いに平行ではなく、所定の角度αをなすように構成されている。換言すると、取付け部２４５ａは、レーザー光源４１から射出されるレーザー光束１０が電気基板４８の法線方向と交差するように延びている。
【００６２】
よって、レーザー光束１０は、電気基板４８に対して角度αを持って（斜めに）射出する。
【００６３】
また、取付け部２４５ａには、突出する位置決め部２４５ｂが設けられている。そして、ホルダー６２は、この位置決め部２４５ｂに係合することで、ホルダー６２を取付け部２４５ａに対して位置決めする凹部６３を有する。
【００６４】
なお、複数のレーザー光源４１Ｙ，４１Ｍ，４１Ｃ，４１Ｋは、レーザー光束１０の光軸調整をしてから固定する。
【００６５】
次に、ソケット１００（電気基板４８）とレーザー光源４１との接続方法について説明する。
【００６６】
まず、図１１Ａ（Ａ）に示すと共に上述したようにレーザー光源４１を取付け部２４５ａに取り付ける（図３参照）。なお、この状態では、ピン６１ａ，６１ｂ，６１ｃは曲がっていない。
【００６７】
電気基板４８を矢印Ｙ２にスライドさせて、ソケット１００の切込部１０６Ａ，１０６Ｂ，１０６Ｃ（図７等を参照）からピン６１ａ，６１ｂ，６１ｃを挿入する。なお、矢印Ｙ２は矢印Ｙ１（図７等を参照）と反対方向であり、Ｙ２とレーザー光束１０とは角度αとなる角度である。
【００６８】
図１１（Ｂ）と図１１（Ｃ）とに示すように、更に、電気基板４８をスライドさせると、ピン６１ａ，６１ｂ，６１ｃが接続ピン１０８Ａ，１０８Ｂ，１０８Ｃの半円の頂点部１０９（図９も参照）に当る。更に、電気基板４８をスライドすると、ピン６１ａ，６１ｂ，６１ｃが、接続ピン１０８Ａ，１０８Ｂ，１０８Ｃに挿入されると共に、接続ピン１０８Ａ，１０８Ｂ，１０８Ｃの先端部が頂点部１０９に沿って進むことによって、接続ピン１０８Ａ，１０８Ｂ，１０８Ｃが曲げられる。
【００６９】
なお、図１１では、一つのレーザー光源４１がソケット１００に接続する様子を示しているが、四つのレーザー光源４１Ｙ，４１Ｍ，４１Ｃ，４１Ｋとも同様に同時に接続される。つまり、電気基板４８の一回のスライド動作で、四つのレーザー光源４１Ｙ，４１Ｍ，４１Ｃ，４１Ｋともソケット１００Ｙ，１００Ｍ，１００Ｃ，１００Ｋを介し電気基板４８と接続する。
【００７０】
そして、電気基板４８を取付け面２４５ｃに固定すると共に、接続ピン１０８Ａ，１０８Ｂ，１０８Ｃの他方の端部から半田Ｈを流し込み、接続ピン１０８Ａ，１０８Ｂ，１０８Ｃとピン６１ａ，６１ｂ，６１ｃとを半田Ｈによって固定する。なお、半田Ｈは毛細管現象によって、接続ピン１０８Ａ，１０８Ｂ，１０８Ｃとピン６１ａ，６１ｂ，６１ｃとの隙間に入り込んでいく。
【００７１】
なお、３つのピン６１ａ，６１ｂ，６１ｃの各折り曲げ点Ｂは１個所であり、ピン６１ａ，６１ｂ，６１ｃを折り曲げ点Ｂにて同一方向に折り曲げると、ピン６１ａ，６１ｂ，６１ｃの各折り曲げ点Ｂよりも先端側の部分Ｄは、互いに平行であり、かつ隣接する部分Ｄ同士が略等間隔となる。
【００７２】
また、電気基板４８のソケット１００にレーザー光源４１を接続したものを光源装置１５５とする。
【００７３】
次に、本実施形態の作用について説明する。
【００７４】
ソケット１００を介して、複数のレーザー光源４１Ｙ，４１Ｍ，４１Ｃ，４１Ｋを一枚の電気基板４８に容易に接続できる。このため、レーザー光源４１Ｙ，４１Ｍ，４１Ｃ，４１Ｋを近接して配置することが容易である。
【００７５】
また、レーザー光源４１Ｙ，４１Ｍ，４１Ｃ，４１Ｋと電気基板４８とを直接半田付けしないので、レーザー光源４１Ｙ，４１Ｍ，４１Ｃ，４１Ｋのみを容易に交換可能である。
【００７６】
また、電気基板４８をスライドさせてレーザー光源４１Ｙ，４１Ｍ，４１Ｃ，４１Ｋのピン６１ａ，６１ｂ，６１ｃをソケット１００の接続ピン１０８Ａ，１０８Ｂ，１０８Ｃに挿入することで、ピン６１ａ，６１ｂ，６１ｃが接続ピン１０８Ａ，１０８Ｂ，１０８Ｃに沿って進み折り曲げられる。よって、予めレーザー光束１０の光軸調整をして固定した複数のレーザー光源４１Ｙ，４１Ｍ，４１Ｃ，４１Ｋを、一枚の電気基板４８に対して、光束１０が電気基板４８に対して角度αを持つように容易に接続できる。
【００７７】
なお、３つのピン６１ａ，６１ｂ，６１ｃの各折り曲げ点Ｂは、１個所である。このようにピン６１ａ，６１ｂ，６１ｃを折り曲げ点Ｂにて同一方向に折り曲げると、ピン６１ａ，６１ｂ，６１ｃの各折り曲げ点Ｂよりも先端側の部分Ｄは、互いに平行であり、かつ隣接する部分Ｄ同士が略等間隔となる。したがって、端子間で接触することがなく、安全に接続可能である。また、電気基板の半田付け部分の配置が容易にできる。
【００７８】
また、電気基板４８を取り付ける取付け面２４５ｃとレーザー光源４１が取り付けられる取付け部２４５ａ（基準面）とは、互いに平行ではなく、所定の角度αをなすように構成されている（換言すると、取付け部２４５ａは、レーザー光源４１から射出されるレーザー光束１０が電気基板４８の法線方向と交差する）。よって、取付け面２４５ｃと取付け部２４５ａとの角度を任意に設定することができるので、レーザー光束１０が異なる角度の光走査装置にも、この電気基板４８を転用することが可能になり、汎用性を向上させることができる。
【００７９】
更に、複数のレーザー光源４１Ｙ，４１Ｍ，４１Ｃ，４１Ｋから射出するレーザー光束１０Ｙ，１０Ｍ，１０Ｃ，１０Ｋをそれぞれ異なる角度とするときにも、一枚の電気基板４８とすることができる。
【００８０】
また、電気基板４８を光学箱２４の側壁（外周面、外周壁）２４５と平行に設置でき、投影面積を小さくできることから、光走査装置１２及び画像形成装置０１の幅を小さくすることができる。
【００８１】
次に、ソケット１００の変形例について説明する。
【００８２】
まず、第一変形例について説明する。
【００８３】
図１４、図１５、図１６に示すように、第一変形例のソケット２００では、接続ピン２０８Ａ，２０８Ｂ，２０８Ｃの断面がＶ字形状となっている。そして、Ｖ字形状の開口が、切込部２０６Ａ，２０６Ｂ，２０６Ｃと一致するように、頭部２０２の貫通孔２０４Ａ，２０４Ｂ，２０４Ｃに挿入される。なお、切込部２０６Ａ，２０６Ｂ，２０６Ｃは開口側が広くなったＶ字状をしている。
【００８４】
接続ピン２０８Ａ，２０８Ｂ，２０８Ｃは、一方の端部が頭部２０２の上面と略同一面まで挿入されている。そして、他方の端部が頭部２０２の下面から突出している。また、接続ピン２０８Ａ，２０８Ｂ，２０８Ｃは頭部２０２に挿入後は抜けないようになっている。また、接続ピン２０８Ａ，２０８Ｂ，２０８Ｃは金属などの導電性を有する素材からなる。
【００８５】
更に、図１６と図１７とに示すように、接続ピン２０８のピン６１の挿入部分には、ピン６１を保持する保持部材としての板バネ２１０が備えられている。そして、板バネ２１０によってピン６１が接続ピン２０８に保持される。
【００８６】
なお、板バネ２１０以外の保持部材で保持しても良い。例えば、図１８に示すように、絞り２１２によってピン６１を保持しても良い。
【００８７】
第一変形例のソケット２００も同様の作用を奏すが、板バネ２１０により、ピン６１がより確実に接続ピン２０８に保持される。また、切込部２０６Ａ，２０６Ｂ，２０６Ｃの開口側が広くなったＶ字状をしているので、電気基板４８をスライドさせてピン６１を接続ピン２０８Ａ，２０８Ｂ，２０８Ｃに挿入する際の作業性が良い。
【００８８】
次に第二変形例について説明する。
【００８９】
図１９に示すように、第二変形例のソケット３００では、頭部３０２の上面３０２Ａがレーザー光束１０と直交するよう形成されており、また、接続ピン３０８Ａ，３０８Ｂ，３０８Ｃは途中で折れ曲がっている。
【００９０】
具体的には、一方の端部側（ピン６１の挿入側）はレーザー光束１０と同方向となっているが、屈曲部３０９Ａ，３０９Ｂ，３０９Ｃから他方の端部側（基板挿入側）は電気基板４８と直交する方向と同方向に折れ曲がっている。
【００９１】
次に、第三変形例について説明する。
【００９２】
図２２に示すように、第三変形例のソケット４００では、接続ピン４０８は円筒状をしている。そして、予めレーザー光源４１のピン６１を曲げた状態でソケット４００と接続する。
【００９３】
なお、このような構成でも、接続ピン４０８の電気基板４８に貫通した他方の端部側から半田Ｈを流し込み、レーザー光源４１のピン６１と接続ピン４０８とを半田付けすることができる。また、レーザー光源４１と電気基板４８とを直接半田付けしないので、レーザー光源４１と電気基板４８とを接続後であっても、レーザー光源４１のみを容易に交換可能である。
【００９４】
なお、以下に光源４１のピン６１を予め曲げる方法の一例を説明する。
【００９５】
図２０の（ａ）から（ｃ）は、レーザー光源４１の発光素子６１のピン６１ａ，６１ｂ，６１ｃの折り曲げ手順を時系列に示したものである。なお、図２０の（ａ）から（ｃ）では、説明の便宜のために折り曲げ治具７０を断面で図示している。
【００９６】
図２０に示すように、３つのピン６１ａ，６１ｂ，６１ｃの折り曲げは、折り曲げ治具７０を用いて行われる。この折り曲げ治具７０は、ピン６１ａ，６１ｂ，６１ｃの各々を貫通可能に形成された３つの貫通穴７１と、貫通穴７１の各々に設けられピン６１ａ，６１ｂ，６１ｃを受け入れて貫通穴７１への挿入が容易になるように構成された面取り形状の受け入れ部７２と、を有する。なお、３つの貫通穴７１の相対位置関係は、発光素子６１の３つのピンの相対位置関係に対応している。
【００９７】
図２０（ａ）に示すように、ピン６１ａ，６１ｂ，６１ｃが折り曲げ治具７０の受け入れ部７２に受け入れられるように、折り曲げ治具７０を発光素子６１に近づけていく。
【００９８】
そして、図２２（ｂ）に示すように、ピン６１ａ，６１ｂ，６１ｃを折り曲げ治具７０の貫通穴７１に挿入して、折り曲げ治具７０を発光素子６１に接触させる。 
【００９９】
その後、図７（ｃ）に示すように、ピン６１ａ，６１ｂがピン６１ｃの方向に折り曲がるように、折り曲げ治具７０が発光素子６１に接触している角部７３を中心に一方向に回転させる。これにより、３つのピン６１ａ，６１ｂ，６１ｃの各々に曲げモーメントが作用され、３つのピン６１ａ，６１ｂ，６１ｃは、一方向に折り曲げられる。付言すると、３つのピン６１ａ，６１ｂ，６１ｃの各折り曲げ点Ｂは、ピンの長さ方向の中間に位置している。また、ピン６１ａ，６１ｂ，６１ｃの各折り曲げ点Ｂは、１個所である。このようにピン６１ａ，６１ｂ，６１ｃを折り曲げ点Ｂにて同一方向に折り曲げると、ピン６１ａ，６１ｂ，６１ｃの各折り曲げ点Ｂよりも先端側の部分Ｄは、互いに平行であり、かつ隣接する部分Ｄ同士が略等間隔である。
【０１００】
なお、図２０の（ｃ）に示す状態では、ピン６１ｃが受け入れ部７２に沿って折り曲げられており、折り曲げ治具７０からピン６１ａ，６１ｂ，６１ｃを抜くことができる。また、ピン６１ａ，６１ｂ，６１ｃを同一方向に折り曲げているので、他のピンとの接触を防止することができる。
【０１０１】
そして図２２に示すように、３つのピン６１ａ，６１ｂ，６１ｃが折り曲げられた発光素子６１を備えるレーザー光源４１を取付け部２４５ａ（図５参照）に取付け、電気基板４８を矢印Ｘ方向（電気基板４８の平面に直交する方向）に移動させて、ピン６１を接続ピン４０８に挿入し、レーザー光源４１と電気基板４８とを接続する。
【０１０２】
なお、本発明は上記の実施形態に限定されない。
【０１０３】
例えば、第一実施形態と変形例１においては、ソケットは、接続ピンの一端側にレーザー光源のピンが挿入されると共に、接続ピンの他端側が電気基板に貫通して半田付けされている。しかし、レーザー光源のピンが挿入される部分と、電気基板に貫通して半田付ける部分と、は別部材となっている構成のソケットであっても良い。なお、このような構成であっても、レーザー光源のピンがソケットに挿入されるとピンが折り曲がるので、レーザー光源と電気基板とを容易に接続できる。
【図面の簡単な説明】
【０１０４】
【図１】本実施形態が適用される画像形成装置の全体構成を示した図である。
【図２】光走査装置の内部構成を示す縦断面図である。
【図３】光走査装置の内部構成を示す平面図である。
【図４】レーザー光束が回転多面鏡により水平方向に振られる様子を示す概略図である。
【図５】レーザー光源を取り付けた取付け部付近を拡大断面にて部分的に示す構成図である。
【図６】レーザー光束の光路を示す概略構成図である。
【図７】ソケットを示す斜視図である。
【図８】ソケットを示す、（Ａ）は上面図であり、（Ｂ）は正面図であり、（Ｃ）は側面図である。
【図９】ソケットの接続ピンを示す、（Ａ）は上面図であり、（Ｂ）は正面図である。
【図１０】ソケットが接続された電気基板の断面図である。
【図１１】電気基板をスライドさせ、ソケットにレーザー光源の端子を挿入し、電気基板にレーザー光源を接続する様子を、（Ａ）から（Ｃ）へと順番に示す図である。
【図１２】ソケットが接続された電気基板の斜視図である。
【図１３】ソケットが接続された電気基板の平面図である。
【図１４】第一変形例のソケットを示す斜視図である。
【図１５】第一変形例のソケットを示す、（Ａ）は上面図であり、（Ｂ）は正面図であり、（Ｃ）は側面図である。
【図１６】第一変形例のソケットの接続ピンを示す、（Ａ）は上面図であり、（Ｂ）は正面図である。
【図１７】第一変形例のソケットの接続ピンの板バネ部を示す図ある。
【図１８】第一変形例の別の例のソケットの接続ピンの絞り部を示す図ある。
【図１９】第二変形例のソケットが接続された電気基板にレーザー光源が接続されている断面図である。
【図２０】レーザー光源のピンを折り曲げる手順を（Ａ）から（Ｃ）へと順番に示す図である。
【図２１】ソケットが接続された電気基板の駆動回路を備える面の平面図である。
【図２２】第三変形例のソケットが接続された電気基板にレーザー光源が接続されている断面図である。
【符号の説明】
【０１０５】
１０Ｙ    レーザー光束（光ビーム）
１０Ｍ    レーザー光束（光ビーム）
１０Ｃ    レーザー光束（光ビーム）
１０Ｋ    レーザー光束（光ビーム）
１２      光走査装置
２４      光学箱
４１Ｙ    レーザー光源（光源）
４１Ｍ    レーザー光源（光源）
４１Ｃ    レーザー光源（光源）
４１Ｋ    レーザー光源（光源）
４８      電気基板
６１ａ    ピン（光源端子）
６１ｂ    ピン（光源端子）
６１ｃ    ピン（光源端子）
１００Ｙ    ソケット（接続部材）
１００Ｍ    ソケット（接続部材）
１００Ｃ    ソケット（接続部材）
１００Ｋ    ソケット（接続部材）
１０８Ａ    接続ピン（光源端子挿入部）
１０８Ｂ    接続ピン（光源端子挿入部）
１０８Ｃ    接続ピン（光源端子挿入部）
１５５      光源装置
【図１】
2011187448.tif 000003
【図２】
2011187448.tif 000004
【図３】
2011187448.tif 000005
【図４】
2011187448.tif 000006
【図５】
2011187448.tif 000007
【図６】
2011187448.tif 000008
【図７】
2011187448.tif 000009
【図８】
2011187448.tif 000010
【図９】
2011187448.tif 000011
【図１０】
2011187448.tif 000012
【図１１】
2011187448.tif 000013
【図１２】
2011187448.tif 000014
【図１３】
2011187448.tif 000015
【図１４】
2011187448.tif 000016
【図１５】
2011187448.tif 000017
【図１６】
2011187448.tif 000018
【図１７】
2011187448.tif 000019
【図１８】
2011187448.tif 000020
【図１９】
2011187448.tif 000021
【図２０】
2011187448.tif 000022
【図２１】
2011187448.tif 000023
【図２２】
2011187448.tif 000024